(57)【要約】【課題】光線射出角を抑制し、迅速なフォーカスを行うことが可能で、かつ小型で光学性能が良好な結像光学系を提供する。【解決手段】物体側から順に、正の屈折力の第１レンズ群Ｌ１、負の屈折力の第２レンズ群Ｌ２と正の屈折力の第３レンズ群Ｌ３で構成し、無限遠から近距離へのフォーカシングに際して前記第２レンズ群Ｌ２を光軸に沿って像面側へ移動し、開口絞りを前記第１レンズ群Ｌ１に有し、さらに所定の条件式を満足させる。【選択図】  図１
2012242472.tif 000002
【特許請求の範囲】
【請求項１】
物体側から順に、正の屈折力の第１レンズ群Ｌ１、負の屈折力の第２レンズ群Ｌ２と正の屈折力の第３レンズ群Ｌ３で構成され、無限遠から近距離へのフォーカシングに際して前記第２レンズ群Ｌ２を光軸に沿って像面側へ移動し、開口絞りを前記第１レンズ群Ｌ１に有し、以下の条件式を満足することを特徴とする結像光学系。
（１）  ５．０＜ｆ１Ａ／ｆ１Ｂ２３＜１４．０
（２）  １．１＜ｆ／ｆ１＜１．５
ただし、
ｆ１Ａ：第１レンズ群Ｌ１の開口絞りより物体側のレンズ群Ｌ１Ａの焦点距離
ｆ１Ｂ２３：第１レンズ群Ｌ１の開口絞りより像側のレンズ群Ｌ１Ｂ、第２レンズ群Ｌ２および第３レンズ群Ｌ３の無限遠状態の合成焦点距離
ｆ：光学系全系の焦点距離
ｆ１：第１レンズ群Ｌ１の焦点距離
【請求項２】
前記第２レンズ群Ｌ２を１枚のレンズで構成することを特徴とする請求項１に記載の結像光学系。
【請求項３】
以下の条件式を満足することを特徴とする請求項１または２に記載の結像光学系。
（３）ｍ２／ｍ３＞２．１
ただし、
ｍ２：第２レンズ群Ｌ２の横倍率
ｍ３：第３レンズ群Ｌ３の横倍率
【発明の詳細な説明】
【技術分野】
【０００１】
本発明は、ディジタルカメラ、銀塩カメラ、ビデオカメラ等に用いられる撮像レンズに好適な結像光学系に関するものである。
【背景技術】
【０００２】
近年、ディジタルスチルカメラやビデオカメラ等の撮像装置の普及に伴い、撮像素子の画素数の増加が急速に進んでおり、より高画質の結像光学系が求められている。更に近年では高画質を得るために大型の撮像素子を採用するカメラが増加している。
【０００３】
同じ画素数ならば、大型の撮像素子は小型のものに比べて画素あたりの面積が大きいため、ノイズの少ない良好な画像を得ることが出来る。しかし撮像素子が大きくなると、当然ながら結像光学系も大型化する傾向がある。
【０００４】
撮像装置に広く使用される撮像素子は一般に入射角の大きな光に対して感度が低下するという特性を持つ。撮像素子に対して、周辺部まで入射角を小さく保つためにはレトロフォーカス型の屈折力配置が有利となる。
【０００５】
しかし、レトロフォーカス型の屈折力配置は、撮像素子の大きさに対して結像光学系の全長が大きくなりがちである。大型の撮像素子を使用する撮像装置においては、結像光学系の全長が大きくなると撮像装置全体が大型化してしまう。
【０００６】
従って大型の撮像素子に対応する光学系としては、撮像素子への入射角、すなわち結像光学系からの光線射出角を抑えつつ可能な限り小型化することが課題となる。
【０００７】
大型の撮像素子に対応するための、画角５０〜６０°程度のコンパクトな結像光学系としては、例えば特許文献１乃至３に開示されている。
【先行技術文献】
【特許文献】
【０００８】
【特許文献１】特開２００３−２４１０８４号公報
【０００９】
【特許文献２】特開２００９−２５８１５８号公報
【００１０】
【特許文献３】特開２０１０−１０１９７９号公報
【発明の概要】
【発明が解決しようとする課題】
【００１１】
結像光学系においては、十分な小型化が課題となっているが、特に大型の撮像素子に対応する結像光学系においては、小型化に伴う性能の低下や製造誤差に対する敏感度の増大を最小限に抑えることが同時に必要になる。またフォーカシングに用いるレンズ群をなるべく軽くし、アクチュエータの小型化やフォーカシングの高速化も望まれる。
【００１２】
特許文献１および特許文献２に記載の結像光学系は、絞りより物体側の第１レンズ群内に物体側から順に負レンズと正レンズを配置し、それらのレンズを近接して配置して合成屈折力を正とし、さらに絞りより像側の第２レンズ群を物体側の第１レンズ群よりも強い正の屈折力とすることで全長の小型化と光線射出角の抑制が達成されている。フォーカシングは３枚程度のレンズからなる正の屈折力の第２レンズ群のみで行うことによって一定の軽量化が達成でき、さらにフォーカシングの高速化やアクチュエータの小型化が可能となる。
【００１３】
また、特許文献１および特許文献２に記載の結像光学系は、絞りよりも物体側の第１レンズ群では最も物体側の面を物体側に凸としつつ最も像側の面を像側に凹とし、また逆に、絞りよりも像側の第２レンズ群では最も物体側の面を物体側に凹としつつ最も像側の面を像側に凸としている。
【００１４】
一般に、上記のように絞りに対しコンセントリックなレンズ形状とすることにより、軸外主光線の各面への入射角を小さくして各面での非点収差やコマ収差の発生を抑制できる。また、レンズの屈折力配置が開口絞りを中心として対称に近いと第１レンズ群と第２レンズ群の間でコマ収差、歪曲収差、倍率色収差等を打ち消し合い、光学系全体として良好な収差補正を実現できる。
【００１５】
しかしながら、このような第１レンズ群と第２レンズ群のみからなる構成の結像光学系では、フォーカシングに伴って第２レンズ群を移動させることにより屈折力配置が大きく変化し、コマ収差、歪曲収差や倍率色収差の変動が大きくなるため、近距離撮影での光学性能が不十分となる。
【００１６】
また、これらの収差は画角が大きくなるほど大きく発生するため、その補正および変動の抑制が難しくなる。このため、この形式の結像光学系は対角線全画角が３０°程度の中望遠画角において主に使用されており、対角線全画角が５０°程度の標準画角に使用された例は少ない。
【００１７】
一方、特許文献３に記載の結像光学系は光学系の最も物体側に負のレンズエレメントが配置されたレトロフォーカス型の屈折力配置となっており、光線射出角を抑制している。また、フォーカシングを最も像側のレンズ１枚で行っているために非常に軽量である。
【００１８】
その反面、レトロフォーカス型の屈折力配置により全長がやや長いという欠点がある。この光学系は絞りより物体側の群の合成屈折力を正として全長の短縮を図っているが、最も物体側に位置する２枚の負レンズの屈折力が大きく、絞りより物体側の群だけで強いレトロフォーカス型屈折力配置となっているため全長の短縮が難しい。
【００１９】
また、フォーカス移動量に対する像面位置の光軸方向の変化量の比であるフォーカス敏感度が小さく、製造誤差等によって発生する像面位置ずれを、フォーカスレンズを移動させて補正する場合には、フォーカスレンズを大きく移動させなければならず、フォーカス移動のあそび量が多く必要になり、フォーカス移動範囲を広く設定しなければならず、光学系全長が長くなるという問題があった。
【００２０】
本発明は、上記課題を解決し、光線射出角を抑制し、迅速なフォーカスを行うことが可能で、かつ小型で光学性能が良好な結像光学系を提供することを目的とする。
【課題を解決するための手段】
【００２１】
上記目的を達成するために、本発明を実施の結像光学系は、物体側から順に、正の屈折力の第１レンズ群Ｌ１、負の屈折力の第２レンズ群Ｌ２と正の屈折力の第３レンズ群Ｌ３で構成され、無限遠から近距離へのフォーカシングに際して第２レンズ群Ｌ２を光軸に沿って像面側へ移動し、開口絞りを第１レンズ群Ｌ１に有し、以下の条件式を満足することを特徴とする。
（１）  ５．０＜ｆ１Ａ／ｆ１Ｂ２３＜１４．０
（２）  １．１＜ｆ／ｆ１＜１．５
ただし、
ｆ１Ａ：第１レンズ群Ｌ１の開口絞りより物体側のレンズ群Ｌ１Ａの焦点距離
ｆ１Ｂ２３：第１レンズ群Ｌ１の開口絞りより像側のレンズ群Ｌ１Ｂ、第２レンズ群Ｌ２および第３レンズ群Ｌ３の無限遠状態の合成焦点距離
ｆ：光学系全系の焦点距離
ｆ１：第１レンズ群Ｌ１の焦点距離
【００２２】
さらに本発明を実施の結像光学系は、上記発明において、第２レンズ群Ｌ２を１枚のレンズで構成することを特徴とする。
【００２３】
さらに本発明を実施の結像光学系は、上記発明において、以下の条件式を満足することを特徴とする。
（３）ｍ２／ｍ３＞２．１
ただし、
ｍ２：第２レンズ群Ｌ２の横倍率
ｍ３：第３レンズ群Ｌ３の横倍率
【発明の効果】
【００２４】
本発明を実施の結像光学系によれば、ディジタルカメラ、銀塩カメラ、ビデオカメラ等に用いられる撮像光学系であって、光線射出角を抑制し、迅速なフォーカスを行うことが可能で、かつ小型で光学性能が良好な結像光学系を提供することができる。
【図面の簡単な説明】
【００２５】
【図１】本発明の結像光学系の実施例１に係る無限遠におけるレンズ構成図である。
【図２】実施例１の結像光学系の無限遠における縦収差図である。
【図３】実施例１の結像光学系の撮影距離５００ｍｍにおける縦収差図である。
【図４】実施例１の結像光学系の無限遠における横収差図である。
【図５】実施例１の結像光学系の撮影距離５００ｍｍにおける横収差図である。
【図６】本発明の結像光学系の実施例２に係る無限遠におけるレンズ構成図である。
【図７】実施例２の結像光学系の無限遠における縦収差図である。
【図８】実施例２の結像光学系の撮影距離５００ｍｍにおける縦収差図である。
【図９】実施例２の結像光学系の無限遠における横収差図である。
【図１０】実施例２の結像光学系の撮影距離５００ｍｍにおける横収差図である。
【図１１】本発明の結像光学系の実施例３に係る無限遠におけるレンズ構成図である。
【図１２】実施例３の結像光学系の無限遠における縦収差図である。
【図１３】実施例３の結像光学系の撮影距離５００ｍｍにおける縦収差図である。
【図１４】実施例３の結像光学系の無限遠における横収差図である。
【図１５】実施例３の結像光学系の撮影距離５００ｍｍにおける横収差図である。
【図１６】本発明の結像光学系の実施例４に係る無限遠におけるレンズ構成図である。
【図１７】実施例４の結像光学系の無限遠における縦収差図である。
【図１８】実施例４の結像光学系の撮影距離５００ｍｍにおける縦収差図である。
【図１９】実施例４の結像光学系の無限遠における横収差図である。
【図２０】実施例４の結像光学系の撮影距離５００ｍｍにおける横収差図である。
【図２１】本発明の結像光学系の実施例５に係る無限遠におけるレンズ構成図である。
【図２２】実施例５の結像光学系の無限遠における縦収差図である。
【図２３】実施例５の結像光学系の撮影距離５００ｍｍにおける縦収差図である。
【図２４】実施例５の結像光学系の無限遠における横収差図である。
【図２５】実施例５の結像光学系の撮影距離５００ｍｍにおける横収差図である。
【図２６】本発明の結像光学系の実施例６に係る無限遠におけるレンズ構成図である。
【図２７】実施例６の結像光学系の無限遠における縦収差図である。
【図２８】実施例６の結像光学系の撮影距離５００ｍｍにおける縦収差図である。
【図２９】実施例６の結像光学系の無限遠における横収差図である。
【図３０】実施例６の結像光学系の撮影距離５００ｍｍにおける横収差図である。
【発明を実施するための形態】
【００２６】
本発明の結像光学系は、図１、図６、図１１、図１６、図２１、および図２６に示すレンズ構成図からわかるように、物体側から順に、正の屈折力の第１レンズ群Ｌ１、開口絞りＳＰ、負の屈折力の第２レンズ群Ｌ２および正の屈折力の第３レンズ群Ｌ３で構成され、無限遠から近距離へのフォーカシングに際して第２レンズ群Ｌ２が光軸に沿って物体側へ移動する構成となっている。
【００２７】
本発明の結像光学系は、以下の条件を満足する。
（１）  ５．０＜ｆ１Ａ／ｆ１Ｂ２３＜１４．０
【００２８】
この条件式（１）は、第１レンズ群Ｌ１の開口絞りＳＰより物体側のレンズ群Ｌ１Ａの焦点距離ｆ１Ａと、第１レンズ群Ｌ１の開口絞りより像側のレンズ群Ｌ１Ｂ、第２レンズ群Ｌ２および第３レンズ群Ｌ３の無限遠状態での合成焦点距離ｆ１Ｂ２３との比率を規定するものである。
【００２９】
条件式（１）の下限値を越えると、相対的にｆ１Ｂ２３の値が大きくなり屈折力が弱くなりすぎるので、射出瞳を物体側に移動させる効果が弱くなり光線射出角を小さくすることが困難となる。条件式（１）の上限値を越えると、光線射出角を小さくすることは可能となるが、焦点距離ｆ１Ａの値が大きくなり屈折力が弱くなるので、レトロフォーカス型の屈折力配置に近づく。そのためバックフォーカスが長くなってしまい、結像光学系の小型化が困難となる。
【００３０】
本発明の結像光学系は、さらに以下の条件を満足する。
（２）１．１＜ｆ／ｆ１＜１．５
【００３１】
この条件式（２）は、光学系全系の焦点距離ｆと第１レンズ群Ｌ１の焦点距離ｆ１との比率を規定するものである。
【００３２】
条件式（２）の下限値を越えると、第２レンズ群Ｌ２と第３レンズ群Ｌ３の合成倍率が１を下回るので、フォーカス群として機能する第２レンズ群Ｌ２から像側の光学系での拡大率が低くなり、光学性能に対するフォーカス群から像側の光学系の影響力が小さくなる。その結果、フォーカス時の収差変動を抑え易くなり、良好な光学性能を維持することが出来るが、フォーカス時のフォーカス群の移動量が大きくなり、結像光学系を小型化することが困難となるほかに、迅速なフォーカスを行うことが難しくなる。
【００３３】
条件式（２）の上限値を越えると、第１レンズ群Ｌ１より後のレンズ系の倍率負担、つまり第２レンズ群Ｌ２と第３レンズ群Ｌ３の合成倍率負担が大きくなる。その結果、フォーカス時のフォーカス群の移動量を小さくできて、結像光学系の小型化には有利となるが、第１レンズ群Ｌ１で発生する諸収差の拡大率が大きくなってしまい、球面収差や非点収差を良好に補正することが困難となる。
【００３４】
また、本発明の結像光学系において、第２レンズ群Ｌ２を１枚のレンズから構成することが望ましい。フォーカス群として機能する第２レンズ群Ｌ２を１枚で構成することでフォーカス群を軽量にすることができ、より迅速なフォーカシングが可能となる。
【００３５】
また、本発明の結像光学系は、以下の条件式をさらに満足することが望ましい。
（３）ｍ２／ｍ３＞２．１
【００３６】
この条件式（３）は、第２レンズ群Ｌ２の横倍率ｍ２と第３レンズ群Ｌ３の横倍率ｍ３との比率を規定するものである。
【００３７】
条件式（３）の範囲を越えると第２レンズ群Ｌ２の横倍率ｍ２が小さくなり、フォーカス移動量に対する像面位置の光軸方向の変化量の比であるフォーカス敏感度が小さくなってしまう。フォーカス敏感度が小さくなりすぎると、製造誤差等によって発生する像面位置ずれを補正するために、フォーカス群を大きく移動させなければならず、フォーカス移動のあそび量が多く必要になる。その結果、フォーカス移動範囲を広く設定しなければならなくなり、結像光学系の小型化が困難となる。
【００３８】
次に、本発明の結像光学系に係る実施例のレンズ構成について説明する。なお、以下の説明ではレンズ構成を物体側から像側の順番で記載する。
【実施例１】
【００３９】
図１は、本発明の実施例１の結像光学系のレンズ構成図である。
【００４０】
第１レンズ群Ｌ１は、物体側に凸面を向けた正レンズＧ１と像側に凹面を向けた負レンズＧ２とから成る接合レンズで構成されており、全体として正の屈折力を有するレンズ群Ｌ１Ａと、物体側に凹面を向けた負レンズＧ３と像側に凸面を向けた正レンズＧ４とから成る接合レンズと、両凸形状の正レンズＧ５とで構成されており、全体として正の屈折力を有するレンズ群Ｌ１Ｂとで構成されている。
【００４１】
第２レンズ群Ｌ２は、物体側に凸面を向けた負メニスカスレンズＧ６で構成されている。この第２レンズ群Ｌ２は、無限遠から近距離へのフォーカシングに際して光軸に沿って像側に移動する。
【００４２】
第３レンズ群Ｌ３は、物体側に凹面を向けた正メニスカスレンズＧ７で構成されている。
【００４３】
また、正レンズＧ５の両面と負メニスカスレンズＧ６の物体側レンズ面は、それぞれ所定の非球面形状となっている。
【実施例２】
【００４４】
図６は、本発明の実施例２の結像光学系のレンズ構成図である。
【００４５】
第１レンズ群Ｌ１は、物体側に凸面を向けた正レンズＧ１と像側に凹面を向けた負レンズＧ２とから成る接合レンズで構成されており、全体として正の屈折力を有するレンズ群Ｌ１Ａと、物体側に凹面を向けた負レンズＧ３と像側に凸面を向けた正レンズＧ４とから成る接合レンズと、両凸形状の正レンズＧ５とで構成されており、全体として正の屈折力を有するレンズ群Ｌ１Ｂとで構成されている。
【００４６】
第２レンズ群Ｌ２は、物体側に凸面を向けた負メニスカスレンズＧ６で構成されている。この第２レンズ群Ｌ２は、無限遠から近距離へのフォーカシングに際して光軸に沿って像側に移動する。
【００４７】
第３レンズ群Ｌ３は、両凸形状の正レンズＧ７で構成されている。
【００４８】
また、正レンズＧ４の像面側レンズ面、負メニスカスレンズＧ６の物体側レンズ面と正レンズＧ７の物体側レンズ面は、それぞれ所定の非球面形状となっている。
【実施例３】
【００４９】
図１１は、本発明の実施例３の結像光学系のレンズ構成図である。
【００５０】
第１レンズ群Ｌ１は、物体側に凸面を向けた正レンズＧ１と像側に凹面を向けた負レンズＧ２とから成る接合レンズで構成されており、全体として正の屈折力を有するレンズ群Ｌ１Ａと、物体側に凹面を向けた負レンズＧ３と像側に凸面を向けた正レンズＧ４とから成る接合レンズと、両凸形状の正レンズＧ５とで構成されており、全体として正の屈折力を有するレンズ群Ｌ１Ｂとで構成されている。
【００５１】
第２レンズ群Ｌ２は、物体側に凸面を向けた負メニスカスレンズＧ６で構成されている。この第２レンズ群Ｌ２は、無限遠から近距離へのフォーカシングに際して光軸に沿って像側に移動する。
【００５２】
第３レンズ群Ｌ３は、物体側に凹面を向けた正メニスカスレンズＧ７で構成されている。
【００５３】
また、正レンズＧ４の像面側レンズ面と負メニスカスレンズＧ６の像面側レンズ面は、それぞれ所定の非球面形状となっている。
【実施例４】
【００５４】
図１６は、本発明の実施例４の結像光学系のレンズ構成図である。
【００５５】
第１レンズ群Ｌ１は、物体側に凸面を向けた正レンズＧ１と像側に凹面を向けた負レンズＧ２とから成る接合レンズで構成されており、全体として正の屈折力を有するレンズ群Ｌ１Ａと、物体側に凹面を向けた負レンズＧ３と像側に凸面を向けた正レンズＧ４とから成る接合レンズと、両凸形状の正レンズＧ５とで構成されており、全体として正の屈折力を有するレンズ群Ｌ１Ｂとで構成されている。
【００５６】
第２レンズ群Ｌ２は、両凹形状の負レンズＧ６で構成されている。この第２レンズ群Ｌ２は、無限遠から近距離へのフォーカシングに際して光軸に沿って像側に移動する。
【００５７】
第３レンズ群Ｌ３は、両凸形状の正レンズＧ７で構成されている。
【００５８】
また、正レンズＧ４の像面側レンズ面は、所定の非球面形状となっている。
【実施例５】
【００５９】
図２１は、本発明の実施例５の結像光学系のレンズ構成図である。
【００６０】
第１レンズ群Ｌ１は、物体側に凸面を向けた正レンズＧ１と像側に凹面を向けた負レンズＧ２とから成る接合レンズで構成されており、全体として正の屈折力を有するレンズ群Ｌ１Ａと、物体側に凹面を向けた負レンズＧ３と像側に凸面を向けた正レンズＧ４とから成る接合レンズと、両凸形状の正レンズＧ５とで構成されており、全体として正の屈折力を有するレンズ群Ｌ１Ｂとで構成されている。
【００６１】
第２レンズ群Ｌ２は、両凹形状の負レンズＧ６で構成されている。この第２レンズ群Ｌ２は、無限遠から近距離へのフォーカシングに際して光軸に沿って像側に移動する。
【００６２】
第３レンズ群Ｌ３は、両凸形状の正レンズＧ７で構成されている。
【００６３】
また、正レンズＧ５の像面側レンズ面は、所定の非球面形状となっている。
【実施例６】
【００６４】
図２６は、本発明の実施例６の結像光学系のレンズ構成図である。
【００６５】
第１レンズ群Ｌ１は、物体側に凸面を向けた正レンズＧ１と像側に凹面を向けた負レンズＧ２とから成る接合レンズで構成されており、全体として正の屈折力を有するレンズ群Ｌ１Ａと、物体側に凹面を向けた負レンズＧ３と像側に凸面を向けた正レンズＧ４とから成る接合レンズと、両凸形状の正レンズＧ５とで構成されており、全体として正の屈折力を有するレンズ群Ｌ１Ｂとで構成されている。
【００６６】
第２レンズ群Ｌ２は、物体側に凸面を向けた負メニスカスレンズＧ６で構成されている。この第２レンズ群Ｌ２は、無限遠から近距離へのフォーカシングに際して光軸に沿って像側に移動する。
【００６７】
第３レンズ群Ｌ３は、物体側に凹面を向けた正メニスカスレンズＧ７で構成されている。
【００６８】
また、正レンズＧ４の像面側レンズ面と負メニスカスレンズＧ６の物体側レンズ面は、それぞれ所定の非球面形状となっている。
【００６９】
以下に、前述した本発明の結像光学系の各実施例の具体的な数値データを示す。
【００７０】
［面データ］において、面番号は物体側からのレンズ面の番号、ｒは各レンズ面の曲率半径、ｄは各レンズ面の間隔、ｎｄはｄ線（波長５８７．５６ｎｍ）に対する屈折率、ｖｄはｄ線に対するアッベ数を示している。
【００７１】
第１列のレンズ面番号に付した＊（アスタリスク）は、そのレンズ面形状が非球面であることを示している。また、ＢＦはバックフォーカスを表している。
【００７２】
［非球面データ］には、［面データ］において*を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をＡ４、Ａ６、Ａ８、Ａ１０と置くとき、非球面の座標が以下の式で表されるものとする。
【００７３】
2012242472.tif 000003
【００７４】
［各種データ］には、撮影距離がＩＮＦと５００ｍｍのときの各種データの値を示している。
【００７５】
［レンズ群データ］には、各レンズ群の最も物体側のレンズ面番号及び群全体の合成焦点距離を示している。
【００７６】
なお、以下の全ての諸元の値において、記載している焦点距離ｆ、曲率半径ｒ、レンズ面間隔ｄ、その他の長さの単位は特記のない限りミリ（ｍｍ）を使用するが、光学系では比例拡大と比例縮小とにおいても同等の光学性能が得られるので、これに限られるものではない。
【００７７】
また、これらの各実施例における条件式の対応値の一覧を示す。
【００７８】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００７９】
数値実施例１
単位  mm
[面データ]
面番号            r              d             nd             vd
物面                  ∞           可変
1              15.7534         3.5300        1.80420          46.50
2            -166.3280         1.1400        1.51742          52.15
3               9.0312         2.3200
4(絞り)                ∞         5.5600
5              -9.1804         1.0500        1.67270          32.17
6              46.4106         3.5200        1.77250          49.62
7             -17.7502         0.1500
8*             75.5735         4.1600        1.77250          49.62
9*            -17.8214           可変
10*             99.9945         0.9000        1.73077          40.50
11              25.0947           可変
12            -178.7378         5.1100        1.43700          95.10
13             -20.2116             BF
像面                  ∞
[非球面データ]
8面            9面           10面
K                     0              0              0
A4           3.04241E-06    4.06543E-05   -5.14816E-07
A6           0.00000E+00   -1.46750E-07   -2.14849E-07
A8           0.00000E+00    1.12864E-09    1.45607E-09
A10          0.00000E+00    0.00000E+00   -3.30120E-12
[各種データ]
INF           500mm
焦点距離             30.04          -0.07
Fナンバー             2.89           2.90
全画角2ω            50.60              -
像高Y              14.20          14.20
レンズ全長            57.49          57.49
BF                21.46          21.46
可変間隔
物面                  ∞       442.5118
d9               1.0000         2.9298
d11              7.5900         5.6602
[レンズ群データ]
群            始面         焦点距離
L1              1                25.13
L2             10               -46.08
L3             12                51.64
L1A             1               303.47
L1B             5                22.17
【００８０】
数値実施例２
単位  mm
[面データ]
面番号            r              d             nd             vd
物面                  ∞           可変
1              16.7253         3.8300        1.74330          49.22
2            -104.9573         0.8000        1.48749          70.44
3               9.7633         5.1400
4(絞り)                ∞         4.0000
5             -10.1194         0.8000        1.68893          31.16
6              15.0719         4.2400        1.77250          49.62
7*            -20.8181         0.1500
8              94.5481         5.3400        1.77250          49.62
9             -14.7538           可変
10*             99.2663         0.9000        1.58913          61.25
11              17.9289           可変
12*           -898.1909         4.0300        1.49700          81.60
13             -31.4090             BF
像面                  ∞
[非球面データ]
7面           10面           12面
K                     0              0              0
A4           8.99466E-05   -1.71449E-05    2.60341E-05
A6           6.68608E-07    1.31458E-07   -3.45356E-09
A8           0.00000E+00   -6.61703E-10    0.00000E+00
A10          0.00000E+00    0.00000E+00    0.00000E+00
[各種データ]
INF           500mm
焦点距離             29.53          -0.07
Fナンバー             2.89           2.90
全画角2ω            51.40              -
像高Y              14.20          14.20
レンズ全長            58.50          58.50
BF                21.74          21.74
可変間隔
物面                  ∞       441.5000
d9               0.7000         1.9620
d11              6.8300         5.5680
[レンズ群データ]
群            始面         焦点距離
L1              1                20.80
L2             10               -37.29
L3             12                65.39
L1A             1               352.38
L1B             5                18.33
【００８１】
数値実施例３
単位  mm
[面データ]
面番号            r              d             nd             vd
物面                  ∞           可変
1              15.8614         3.2200        1.80420          46.50
2            -159.7009         0.8000        1.51680          64.19
3               9.9813         2.8300
4(絞り)                ∞         5.2500
5              -9.9216         0.8000        1.71736          29.50
6              19.6991         3.6200        1.77250          49.62
7*            -20.8255         0.1500
8             176.0336         4.5100        1.80420          46.50
9             -15.2756           可変
10             180.3167         1.0000        1.58913          61.25
11*             27.9373           可変
12             -58.1994         4.0000        1.48749          70.44
13             -20.7894             BF
像面                  ∞
[非球面データ]
7面           11面
K                     0              0
A4           6.61529E-05    1.25937E-05
A6           3.02021E-07   -9.72162E-09
A8           1.26617E-09    1.84431E-10
A10          0.00000E+00   -6.71194E-13
[各種データ]
INF           500mm
焦点距離             29.24          -0.07
Fナンバー             2.86           2.87
全画角2ω            51.80              -
像高Y              14.20          14.20
レンズ全長            55.03          55.03
BF                19.62          19.62
可変間隔
物面                  ∞       444.9662
d9               0.7000         2.8349
d11              8.5300         6.3951
[レンズ群データ]
群            始面         焦点距離
L1              1                24.40
L2             10               -56.25
L3             12                64.10
L1A             1               149.78
L1B             5                22.55
【００８２】
数値実施例４
単位  mm
[面データ]
面番号            r              d             nd             vd
物面                  ∞           可変
1              17.3849         3.7600        1.77250          49.62
2             -67.4296         0.8100        1.48749          70.44
3               9.6017         3.0000
4(絞り)                ∞         4.0500
5              -9.9289         0.8000        1.67270          32.17
6              17.7670         3.2100        1.77250          49.62
7*            -21.7770         0.6400
8              76.7973         3.7100        1.77250          49.62
9             -15.3512           可変
10             -37.9125         0.9800        1.51742          52.15
11              20.2830           可変
12              52.0062         4.9000        1.49700          81.60
13             -23.4773             BF
像面                  ∞
[非球面データ]
7面
K                     0
A4           6.71674E-05
A6           4.96483E-07
A8           0.00000E+00
A10          0.00000E+00
[各種データ]
INF           500mm
焦点距離             29.31          -0.07
Fナンバー             2.87           2.92
全画角2ω            51.70              -
像高Y              14.20          14.20
レンズ全長            56.50          56.50
BF                24.27          24.27
可変間隔
物面                  ∞       443.5005
d9               0.9500         2.1293
d11              5.4200         4.2407
[レンズ群データ]
群            始面         焦点距離
L1              1                22.37
L2             10               -25.39
L3             12                33.26
L1A             1               276.81
L1B             5                20.16
【００８３】
数値実施例５
単位  mm
[面データ]
面番号            r              d             nd             vd
物面                  ∞           可変
1              14.4563         3.9600        1.77250          49.62
2            -196.0986         0.8000        1.51742          52.15
3               8.8349         2.5300
4(絞り)                ∞         6.2000
5              -8.9742         0.8000        1.67270          32.17
6              64.1487         3.7800        1.77250          49.62
7             -15.1427         0.1500
8              64.1217         4.2200        1.77250          49.62
9*            -20.1095           可変
10            -176.3889         0.9000        1.58144          40.89
11              23.1821           可変
12             154.0928         5.6600        1.49700          81.60
13             -23.1860             BF
像面                  ∞
[非球面データ]
9面
K                     0
A4           2.85821E-05
A6           2.59240E-08
A8          -4.17548E-10
A10          3.06945E-12
[各種データ]
INF           500mm
焦点距離             29.39          -0.07
Fナンバー             2.82           2.83
全画角2ω             51.6              -
像高Y              14.20          14.20
レンズ全長            57.10          57.10
BF                20.49          20.49
可変間隔
物面                  ∞       442.9000
d9               0.9900         2.5569
d11              6.6200         5.0531
[レンズ群データ]
群            始面         焦点距離
L1              1                24.02
L2             10               -35.18
L3             12                40.99
L1A             1               213.04
L1B             5                21.02
【００８４】
数値実施例６
単位  mm
[面データ]
面番号            r              d             nd             vd
物面                  ∞           可変
1              16.0183         3.7500        1.77250          49.62
2             -73.8929         1.6700        1.48749          70.44
3               9.1476         3.1900
4(絞り)                ∞         2.8700
5              -9.6280         1.7400        1.72825          28.32
6              25.0946         3.9400        1.77250          49.62
7*            -15.1899         0.1500
8              41.2586         3.9400        1.74400          44.90
9             -25.6986           可変
10*            526.0170         0.9000        1.58913          61.25
11              20.9087           可変
12            -253.0094         4.9500        1.49700          81.60
13             -19.7628             BF
像面                  ∞
[非球面データ]
7面           10面
K                     0              0
A4           2.25003E-05   -1.03984E-05
A6           1.34580E-07   -2.84156E-08
A8           0.00000E+00    0.00000E+00
A10          0.00000E+00    0.00000E+00
[各種データ]
INF           500mm
焦点距離             29.40          -0.07
Fナンバー             2.81           2.85
全画角2ω             51.6              -
像高Y              14.20          14.20
レンズ全長            55.50          55.50
BF                20.50          20.50
可変間隔
物面                  ∞       444.5000
d9               0.7000         2.3109
d11              7.2000         5.5891
[レンズ群データ]
群            始面         焦点距離
L1              1                23.95
L2             10               -36.98
L3             12                42.83
L1A             1               144.34
L1B             5                21.32
【００８５】
[条件式対応値]
条件式(1)     条件式(2)    条件式(3)
式           ｆ1A/f1B23      ｆ/f1        m2/m3
範囲        5.0＜x＜14.0  1.1＜x＜1.5    x＞2.1
実施例1        11.51         1.20          3.4
実施例2        13.38         1.42          3.2
実施例3         5.58         1.20          2.3
実施例4        10.48         1.31         22.8
実施例5         8.35         1.22          5.1
実施例6         5.59         1.23          4.4
【符号の説明】
【００８６】
Ｌ１      第１レンズ群
Ｌ２      第２レンズ群
Ｌ３      第３レンズ群
Ｌ１Ａ    第１レンズ群Ｌ１の開口絞りより物体側のレンズ群
Ｌ１Ｂ    第１レンズ群Ｌ１の開口絞りより像側のレンズ群
ＳＰ      開口絞り
【図１】
2012242472.tif 000004
【図２】
2012242472.tif 000005
【図３】
2012242472.tif 000006
【図４】
2012242472.tif 000007
【図５】
2012242472.tif 000008
【図６】
2012242472.tif 000009
【図７】
2012242472.tif 000010
【図８】
2012242472.tif 000011
【図９】
2012242472.tif 000012
【図１０】
2012242472.tif 000013
【図１１】
2012242472.tif 000014
【図１２】
2012242472.tif 000015
【図１３】
2012242472.tif 000016
【図１４】
2012242472.tif 000017
【図１５】
2012242472.tif 000018
【図１６】
2012242472.tif 000019
【図１７】
2012242472.tif 000020
【図１８】
2012242472.tif 000021
【図１９】
2012242472.tif 000022
【図２０】
2012242472.tif 000023
【図２１】
2012242472.tif 000024
【図２２】
2012242472.tif 000025
【図２３】
2012242472.tif 000026
【図２４】
2012242472.tif 000027
【図２５】
2012242472.tif 000028
【図２６】
2012242472.tif 000029
【図２７】
2012242472.tif 000030
【図２８】
2012242472.tif 000031
【図２９】
2012242472.tif 000032
【図３０】
2012242472.tif 000033